(57)【要約】【課題】  個別の電子音楽装置に対して固有ＩＤを付与する処理を簡単化し、製造過程に負担をかけないようにする。【解決手段】  電子音楽装置（例えば電子楽器）は、固有ＩＤを記憶するための記憶領域を有しているが、工場出荷時の初期状態では、固有ＩＤは付与されていない。この電子音楽装置を取得したユーザが、ＩＤ発行機能を有する所定のウェブサイトにアクセスすることで、ウェブサーバから固有ＩＤの発行を受け、これを電子音楽装置の記憶領域に保存する。ウェブサーバでは、アクセスしてきた装置が固有ＩＤ登録済みか否かを判別し、未登録ならば、自動的に固有ＩＤを発行するようにしてよい。あるいは、ウェブサーバでは、ユーザから固有ＩＤ発行要求があったときに、固有ＩＤを発行するようにしてもよい。ユーザ登録と固有ＩＤ発行／登録とをセットで行なうようにしてもよい。【選択図】      図１
2005215671.tif 000002
【特許請求の範囲】
【請求項１】
固有の識別情報を不揮発的に記憶するための記憶領域を有するメモリを具備する電子音楽装置であって、当該電子音楽装置がユーザによって最初に使用開始される初期状態では、前記記憶領域において前記固有の識別情報は空であり、当該電子音楽装置は、
識別情報発行機能を有する所定のウェブサイトに通信ネットワークを介してアクセスして、該ウェブサイトから当該電子音楽装置に固有の識別情報を取得する手段と、
取得した該固有の識別情報を前記メモリ内の前記記憶領域に記憶させる手段と
を具備することを特徴とする電子音楽装置。
【請求項２】
固有の識別情報を不揮発的に記憶するための記憶領域を有するメモリを具備する電子音楽装置と、該電子音楽装置と通信可能な処理装置とで構成されるシステムであって、
前記電子音楽装置の前記メモリの前記記憶領域において、当該電子音楽装置がユーザによって最初に使用開始される初期状態では、前記固有の識別情報は空であり、
前記処理装置は、識別情報発行機能を有する所定のウェブサイトに通信ネットワークを介してアクセスし、該ウェブサイトから前記電子音楽装置に固有の識別情報を取得する手段と、取得した該固有の識別情報を前記電子音楽装置に送る手段とを具備しており、
前記電子音楽装置は、前記処理装置から送られた前記固有の識別情報を前記メモリ内の前記記憶領域に記憶することを特徴とするシステム。
【請求項３】
通信ネットワーク上に情報を提供するためのウェブサイトを構築するサーバ装置であって、
前記通信ネットワーク上を介して前記ウェブサイトにアクセスしてきた個別の電子音楽装置に対して固有の識別情報を発行するＩＤ発行手段と、
前記ＩＤ発行手段によって発行した固有の識別情報を通信ネットワークを介して当該個別の電子音楽装置に送信する送信手段と
を具備し、これにより、当該個別の電子音楽装置において前記通信ネットワークを介して送信された前記固有の識別情報を受信して不揮発的に記憶することができるようにしたことを特徴とするサーバ装置。
【請求項４】
前記ＩＤ発行手段は、アクセスしてきた前記個別の電子音楽装置に対して既に固有の識別情報を発行済みか否かを判別し、未発行ならば、該個別の電子音楽装置に対して固有の識別情報を発行することを特徴とする請求項３に記載のサーバ装置。
【請求項５】
前記ＩＤ発行手段は、アクセスしてきた前記個別の電子音楽装置からのＩＤ発行要求に応じて、該個別の電子音楽装置に対して固有の識別情報を発行することを特徴とする請求項３に記載のサーバ装置。
【請求項６】
前記ＩＤ発行手段は、前記ウェブサイトにアクセスしてきた前記個別の電子音楽装置のために、該ウェブサイトにおけるユーザ登録プロセスを実行するときに、該個別の電子音楽装置に対して固有の識別情報を発行することを特徴とする請求項３に記載のサーバ装置。
【請求項７】
前記ウェブサイトにアクセスしてきた前記個別の電子音楽装置に対して既に固有の識別情報を発行済みか否かを判別し、その判別結果に応じて異なるウェブページ情報を該個別の電子音楽装置に対して提供することを特徴とする請求項３に記載のサーバ装置。
【請求項８】
電子音楽装置に固有の識別情報を付与するための処理手順を、端末のコンピュータに実行させるための命令群を内容とするプログラムであって、前記電子音楽装置は、固有の識別情報を不揮発的に記憶するための記憶領域を有するメモリを具備しており、当該電子音楽装置がユーザによって最初に使用開始される初期状態では、前記記憶領域において前記固有の識別情報は空であり、前記処理手順は、
識別情報発行機能を有する所定のウェブサイトに通信ネットワークを介して端末をアクセスさせる手順と、
該ウェブサイトから当該端末における前記電子音楽装置に固有の識別情報を取得する手順と、
取得した該固有の識別情報を当該ユーザ端末における前記電子音楽装置の前記メモリ内の前記記憶領域に記憶させる手順と
を具備することを特徴とするプログラム。
【請求項９】
端末の電子音楽装置に固有の識別情報を付与するための処理手順を、サーバ装置のコンピュータに実行させるための命令群を内容とするプログラムであって、前記サーバ装置は、通信ネットワーク上に情報を提供するためのウェブサイトを構築するものであり、前記処理手順は、
前記通信ネットワーク上を介して前記ウェブサイトにアクセスしてきた個別の電子音楽装置に対して固有の識別情報を発行する手順と、
発行した固有の識別情報を通信ネットワークを介して当該個別の電子音楽装置に送信する手順と
を具備し、これにより、当該個別の電子音楽装置において前記通信ネットワークを介して送信された前記固有の識別情報を受信して不揮発的に記憶することができるようにしたことを特徴とするプログラム。
【発明の詳細な説明】
【技術分野】
【０００１】
この発明は、ユーザが所持する電子楽器や自動演奏装置などその他種々のタイプの電子音楽装置に対して固有の識別情報（ＩＤ）を付与する技術に関する。
【背景技術】
【０００２】
一般に工場で生産されてユーザに提供（販売）される電子楽器などの電子音楽装置においては、適切な管理のために、シリアル番号などの固有識別番号（ＩＤ）が個別に付与される。従来の固有ＩＤの付与方法は、工場での電子音楽装置製品の製造過程の適当な段階（例えば最終段階）で、個別の電子音楽装置製品に対して製造シリアル番号などからなる固有ＩＤが付与される。この付与は、典型的には、該固有ＩＤを記載したシールを電子音楽装置製品に対して貼り付けることで行われていた。製造工程の最終段階では、完成した固有ＩＤ付与済みの電子音楽装置製品を梱包ケース内に入れる際に、該固有ＩＤの記載された登録はがきが一緒に梱包ケース内に入れられる。この電子音楽装置製品を購入したユーザは、この登録はがきに該ユーザの氏名、住所などを記入したうえで、同はがきを製造者に返送することによりユーザ登録をする。また、製造者のウェブサイト上でシリアル番号などの固有ＩＤを手動入力して、ユーザ登録をすることも可能となってきている。
【０００３】
一方、下記特許文献１においては、ユーザ登録の際の手動による固有ＩＤ入力操作の面倒を解消するために、工場での電子音楽装置製品の製造過程の適当な段階で個別の電子音楽装置製品に対して製造シリアル番号などからなる固有ＩＤを付与する際に、該電子音楽装置内のメモリに該付与した固有ＩＤを不揮発的に記憶させるようにしている。そして、この電子音楽装置製品を購入したユーザが、所定のウェブサイトにアクセスしてユーザ登録を行う際に、該メモリに予め記憶されている固有ＩＤを該ウェブサイトに送信するようにしている。この方法では、ユーザ登録処理の際に固有ＩＤの手動入力操作が不要となるので、ユーザの負担が軽減される。しかし、電子音楽装置製品の製造過程において、固有ＩＤを付与しメモリ内に記憶する工程が追加されるので、その分、製造コストの増加要因となる。
【特許文献１】特開２００３−９９６２７号公報
【発明の開示】
【発明が解決しようとする課題】
【０００４】
本発明は上述の点に鑑みてなされたもので、個別の電子音楽装置に対して固有ＩＤを付与する処理を簡単化し、製造過程に負担をかけないようにすることを目的とする。
【課題を解決するための手段】
【０００５】
本発明に係る電子音楽装置は、固有の識別情報を不揮発的に記憶するための記憶領域を有するメモリを具備する電子音楽装置であって、当該電子音楽装置がユーザによって最初に使用開始される初期状態では、前記記憶領域において前記固有の識別情報は空であり、当該電子音楽装置は、識別情報発行機能を有する所定のウェブサイトに通信ネットワークを介してアクセスして、該ウェブサイトから当該電子音楽装置に固有の識別情報を取得する手段と、取得した該固有の識別情報を前記メモリ内の前記記憶領域に記憶させる手段とを具備することを特徴とする。
【０００６】
本発明に従う電子音楽装置は、固有の識別情報（ＩＤ）を記憶するための記憶領域を有しているが、初期状態（例えば工場出荷時の状態）では、固有ＩＤは記憶されていない。この電子音楽装置製品を取得したユーザが、識別情報発行機能を有する所定のウェブサイトにアクセスすることで、該ウェブサイトから固有ＩＤの発行を受け、これを記憶領域に記憶する。このように公式の所定ウェブサイトから固有ＩＤの発行を受けるので、初期状態（例えば工場出荷時の状態）で固有ＩＤが付加されていなかったとしても、後で間違った固有ＩＤが付与／登録されるというような問題が起こらず、確実である。また、工場における電子音楽装置製品の製造過程では、固有ＩＤの付与／登録処理を行う必要がなくなるので、製造コストの増加を解消することができる。
【０００７】
本発明は、変形として、電子音楽装置それ自体がウェブサイトアクセス機能（ブラウザ機能）を持っていなかったとしても、パソコンのような外部の処理装置の助けを借りることにより、実現可能である。すなわち、本発明の別の観点に係るシステムは、固有の識別情報を不揮発的に記憶するための記憶領域を有するメモリを具備する電子音楽装置と、該電子音楽装置と通信可能な処理装置とで構成されるシステムであって、前記電子音楽装置の前記メモリの前記記憶領域において、当該電子音楽装置がユーザによって最初に使用開始される初期状態では、前記固有の識別情報は空であり、前記処理装置は、識別情報発行機能を有する所定のウェブサイトに通信ネットワークを介してアクセスし、該ウェブサイトから前記電子音楽装置に固有の識別情報を取得する手段と、取得した該固有の識別情報を前記電子音楽装置に送る手段とを具備しており、前記電子音楽装置は、前記処理装置から送られた前記固有の識別情報を前記メモリ内の前記記憶領域に記憶することを特徴とする。
【０００８】
また、本発明に係るサーバ装置は、通信ネットワーク上に情報を提供するためのウェブサイトを構築するサーバ装置であって、前記通信ネットワーク上を介して前記ウェブサイトにアクセスしてきた個別の電子音楽装置に対して固有の識別情報を発行するＩＤ発行手段と、前記ＩＤ発行手段によって発行した固有の識別情報を通信ネットワークを介して当該個別の電子音楽装置に送信する送信手段とを具備し、これにより、当該個別の電子音楽装置において前記通信ネットワークを介して送信された前記固有の識別情報を受信して不揮発的に記憶することができるようにしたことを特徴とする。
【０００９】
一例として、上記サーバ装置において、前記ＩＤ発行手段は、アクセスしてきた前記個別の電子音楽装置に対して既に固有の識別情報を発行済みか否かを判別し、未発行ならば、該個別の電子音楽装置に対して固有の識別情報を発行するようにしてよい。  これにより、ユーザは、自身が所持している電子音楽装置が既に固有ＩＤを持っているかどうかという面倒な事柄をいちいち意識／認識する必要がなく、自動的に固有ＩＤの発行／登録が行われるので、便利である。
【００１０】
別の例として、上記サーバ装置において、前記ＩＤ発行手段は、アクセスしてきた前記個別の電子音楽装置からのＩＤ発行要求に応じて、該個別の電子音楽装置に対して固有の識別情報を発行するようにしてよい。この場合は、ユーザの要求があった場合に、固有ＩＤの発行／登録が行われるので、その必要性を感じたときにユーザは要求すればよい。
【００１１】
別の例として、上記サーバ装置において、前記ＩＤ発行手段は、前記ウェブサイトにアクセスしてきた前記個別の電子音楽装置のために、該ウェブサイトにおけるユーザ登録プロセスを実行するときに、該個別の電子音楽装置に対して固有の識別情報を発行するようにしてよい。この場合は、ユーザ登録と固有ＩＤの発行／登録とがセットで行われるので、ユーザにとって便利であり、また、サーバ側でも管理の一元化を行い易いので便利である。
【００１２】
更に別の例として、上記サーバ装置において、前記ウェブサイトにアクセスしてきた前記個別の電子音楽装置に対して既に固有の識別情報を発行済みか否かを判別し、その判別結果に応じて異なるウェブページ情報を該個別の電子音楽装置に対して提供するようにしてよい。これにより、例えば、固有ＩＤ未発行／未登録の電子音楽装置でアクセスしたユーザに対しては自動的に固有ＩＤ発行用のウェブページ情報を提供したり、固有ＩＤ発行済／登録済の電子音楽装置でアクセスしたユーザに対しては特有のサービスを提供するウェブページ情報（例えば該電子音楽装置又はユーザごとにカスマイズされたウェブページ情報）を提供するように、きめ細かなウェブページ提供サービスを行うことができる。
【００１３】
本発明は、装置の発明として構成し、実施することができるのみならず、方法の発明として構成し実施することができる。また、本発明は、コンピュータまたはＤＳＰ等のプロセッサのプログラムの形態で実施することができるし、そのようなプログラムを記憶した記録媒体の形態で実施することもできる。また、プロセッサとしては、任意のソフトウェアプログラムを実行するコンピュータのような汎用プロセッサを使用できるのは勿論のこと、専用ロジックをハードウェアで組んだ専用プロセッサを用いてもよい。
【００１４】
以下、添付図面を参照して本発明の実施例について詳細に説明する。ただし、発明者らは、以下述べる実施例によって本発明の範囲を限定するつもりは全くなく、本発明の範囲はクレームの記載に基づき解釈されるべきである。
【発明を実施するための最良の形態】
【００１５】
図１は、この発明の一実施形態を示すもので、ユーザの電子音楽装置ＥＭＡとウェブサーバＷＳとが通信ネットワークＸを介して接続されて双方向に通信を行う状態を示すシステム略図である。ウェブサーバＷＳは、通信ネットワーク上に情報を提供するためのウェブサイトを構築するサーバ装置であり、該ウェブサイトにアクセスしてきた電子音楽装置ＥＭＡに対して、それぞれの個別製品に固有の識別情報（以下、固有ＩＤという）を発行する機能を有している。電子音楽装置ＥＭＡとしては、電子楽器、音源モジュール、シーケンサ（自動演奏装置）、ミキサ、エフェクタ、カラオケ、携帯電話又は携帯端末機器など、音楽の演奏又は再生又は制御などのような音楽に関連する処理又は動作を行う電子機器又は装置であればどのようなものでもよい。また、電子楽器にも、鍵盤タイプ、ギタータイプ、ドラムタイプ、管楽器タイプなど、種々のタイプがあり、それらのいずれであってもよい。
【００１６】
ユーザの電子音楽装置ＥＭＡは、固有ＩＤを記憶する記憶領域ＩＤＭを有しているが、初期状態（例えば工場出荷時の状態）では、この記憶領域ＩＤＭに固有ＩＤは記憶されていない。この電子音楽装置ＥＭＡを購入等により取得したユーザが、ＩＤ発行機能を有するウェブサーバＷＳが提供する所定のウェブサイトにアクセスすることで、該ウェブサイトから固有ＩＤの発行を受け、これをＩＤ記憶領域（ＩＤＭ）に記憶する。このような固有ＩＤの発行を受ける処理は、電子音楽装置ＥＭＡが具備するプロセッサ（例えばコンピュータ）が実行する。すなわち、該プロセッサは、該所定のウェブサイトに通信ネットワークを介してアクセスし、該ウェブサイトから当該電子音楽装置ＥＭＡに固有の識別情報（ＩＤ）を取得し、取得した該固有ＩＤを記憶領域ＩＤＭに記憶させる。
【００１７】
また、初期状態でユーザの電子音楽装置ＥＭＡの記憶領域ＩＤＭに、固有ＩＤと同じビット数のダミーデータ（例えば、ＸＸＸＸＸＸＸＸ）、または、予め決めておいた固定の値を有する仮のＩＤを電子音楽装置ＥＭＡを製造する工場で記憶領域ＩＤＭに記憶しておいてもよい。この場合、ウェブサーバＷＳでは、初期状態に記憶されたダミーデータまたは仮のＩＤを記憶しておいて、ユーザが電子音楽装置ＥＭＡを使用して所定のウェブサイトに初めてアクセスしたときに、該ウェブサイトから固有ＩＤの発行を受け、発行された固有ＩＤを記憶領域ＩＤＭに記憶するようにすればよい。
【００１８】
以下の説明においては、「記憶領域ＩＤＭの内容が空である」状態とは、記憶領域ＩＤＭの内容が空である場合は勿論のこと、所定のダミーデータ若しくは固定の値を有する仮のＩＤが記憶されている状態なども含み、要するに、実体的な固有ＩＤが記憶されていない状態を差すものとする。
【００１９】
この目的で、ウェブサーバＷＳは、通信ネットワーク上を介して該所定のウェブサイトにアクセスしてきた個別の電子音楽装置ＥＭＡに対してそれぞれに固有のＩＤを発行するＩＤ発行部と、このＩＤ発行部によって発行した固有ＩＤを通信ネットワークを介して個別の電子音楽装置ＥＭＡに送信する送信部とを有する。通常、これらのＩＤ発行部と送信部の機能は、サーバ装置のコンピュータによって実現される。ウェブサーバＷＳでは、ユーザデータベースＵＤＢを有しており、個別の電子音楽装置ＥＭＡに対して発行した固有ＩＤとそのユーザ登録情報とをセットで記憶・保存し、各種の制御・管理に利用する。
【００２０】
更に図２を参照して具体例を説明する。図２は、この発明の一実施例に係る電子音楽装置ＥＭＡの全体的なハードウェア構成例を示すブロック図である。本実施例に示す電子音楽装置ＥＭＡは、マイクロプロセッサユニット（ＣＰＵ）１、リードオンリメモリ（ＲＯＭ）２、ランダムアクセスメモリ（ＲＡＭ）３からなるマイクロコンピュータによって制御される。ＣＰＵ１は、この電子音楽装置ＥＭＡ全体の動作を制御するものである。このＣＰＵ１に対して、データ及びアドレスバス１Ｄを介してＲＯＭ２、ＲＡＭ３、検出回路４及び５、表示回路６、音源回路７、効果回路８、外部記憶装置９、ＭＩＤＩインタフェース（Ｉ／Ｆ）１０、通信インタフェース（Ｉ／Ｆ）１１及び読み書き可能な不揮発性メモリ（一例としてフラッシュメモリ）１２がそれぞれ接続されている。更に、ＣＰＵ１には、タイマ割込み処理（インタラプト処理）における割込み時間や各種時間を計時するタイマ１Ａが接続されている。例えば、タイマ１Ａはクロックパルスを発生し、発生したクロックパルスをＣＰＵ１に対して処理タイミング命令として与えたり、あるいはＣＰＵ１に対してインタラプト命令として与える。ＣＰＵ１は、これらの命令に従って各種処理を実行する。
【００２１】
不揮発性メモリすなわちフラッシュメモリ１２における適宜の又は所定の記憶領域には、当該電子音楽装置ＥＭＡに対して付与された固有ＩＤが不揮発的に記憶される。つまり、このフラッシュメモリ１２は、図１に示されたＩＤ記憶領域ＩＤＭを有するメモリに相当する。
【００２２】
ＲＯＭ２は、ＣＰＵ１により実行あるいは参照される各種制御プログラム（本実施例に係るＩＤ取得及びユーザ登録処理用のプログラムを含む）や各種データ（例えば楽音制御データや自動演奏データなど）等を格納するものである。ＲＡＭ３は、ＣＰＵ１が所定のプログラムを実行する際に発生する各種データなどを一時的に記憶するワーキングメモリとして、及び現在実行中の制御プログラムやそれに関連するデータを記憶するために使用される。ＲＡＭ３の所定のアドレス領域がそれぞれの機能に割り当てられ、レジスタやフラグ、テーブル、メモリなどとして利用される。演奏操作子４Ａは、楽音の音高を選択するための複数の鍵を備えた例えば鍵盤等のようなものであり、各鍵に対応してキースイッチを有しており、この演奏操作子４Ａ（鍵盤等）は楽音演奏のために使用できるのは勿論のこと、楽曲や音色などを選択するための入力手段などとして使用することもできる。検出回路４は、演奏操作子４Ａの各鍵の押圧及び離鍵を検出することによって検出出力を生ずる。パネル操作子（スイッチ等）５Ａは、音色やその他の楽音制御情報を選択するための選択スイッチ、自動演奏に関する各種情報等を入力するためのスイッチなどを含む。勿論、これら以外にも数値データ入力用のテンキーや文字データ入力用のキーボード、及びディスプレイ６Ａに表示される所定のポインティングデバイスを操作するために用いるマウスなどの各種操作子を含んでいてもよい。検出回路５は上記各スイッチの操作状態を検出し、その操作状態に応じたスイッチ情報をデータ及びアドレスバス１Ｄを介してＣＰＵ１に出力する。表示回路６は選択された曲の楽譜を、例えば液晶表示パネル（ＬＣＤ）やＣＲＴ等から構成されるディスプレイ６Ａに表示するのは勿論のこと、自動演奏に関する各種情報あるいはＣＰＵ１の制御状態などを表示したりする。
【００２３】
音源回路７は複数のチャンネルで楽音信号の同時発生が可能であり、データ及びアドレスバス１Ｄを経由して与えられた演奏情報を入力し、これらに基づいて楽音信号を発生する。音源回路７から発生された楽音信号は、効果回路８を介して効果付与されてアンプやスピーカなどを含むサウンドシステム８Ａから発音される。効果回路８は複数のエフェクトユニットを含んでおり、各エフェクトユニットは効果パラメータに従いそれぞれ異なる効果を音源回路７からの楽音信号に付与する。この音源回路７と効果回路８とサウンドシステム８Ａの構成には、従来のいかなる構成を用いてもよい。例えば、音源回路７はＦＭ、ＰＣＭ、物理モデル、フォルマント合成等の各種楽音合成方式のいずれを採用してもよく、また専用のハードウェアで構成してもよいし、ＣＰＵ１によるソフトウェア処理で構成してもよい。
【００２４】
外部記憶装置９は、楽音制御データや自動演奏データ、及びＣＰＵ１が実行する各種制御プログラム等の制御に関するデータなどを不揮発的に記憶するものである。前記ＲＯＭ２に特定の制御プログラム（本実施例に係るＩＤ取得及びユーザ登録処理用のプログラムであってもよい）が記憶されていない場合、この外部記憶装置９（例えばハードディスク）に制御プログラムを記憶させておき、それをＲＡＭ３に読み込むことにより、ＲＯＭ２に制御プログラムを記憶している場合と同様の動作をＣＰＵ１にさせることができる。このようにすると、制御プログラムの追加やバージョンアップ等が容易に行える。なお、外部記憶装置９はハードディスク（ＨＤ）に限られず、フレキシブルディスク（ＦＤ）、コンパクトディスク（ＣＤ−ＲＯＭ・ＣＤ−ＲＡＭ）、光磁気ディスク（ＭＯ）、あるいはＤＶＤ（Digital Versatile Disk）等の着脱自在な様々な形態の外部記憶媒体を利用する記憶装置であればどのようなものであってもよい。半導体メモリなどであってもよい。
【００２５】
ＭＩＤＩインタフェース（Ｉ／Ｆ）１０は、他のＭＩＤＩ機器２０等からＭＩＤＩ規格の演奏情報（つまりＭＩＤＩデータ）を当該電子音楽装置ＥＭＡへ入力したり、あるいは当該電子装置ＥＭＡからＭＩＤＩ規格の演奏情報を他のＭＩＤＩ機器２０等へ出力するためのインタフェースである。他のＭＩＤＩ機器２０はユーザによる操作に応じてＭＩＤＩデータを発生する機器であればよく、鍵盤型、弦楽器型、管楽器型、打楽器型、身体装着型等どのようなタイプの操作子を具えた（若しくは、操作形態からなる）機器であってもよい。なお、ＭＩＤＩインタフェース１０は専用のＭＩＤＩインタフェースを用いるものに限らず、RS-232C、USB（ユニバーサル・シリアル・バス）、IEEE1394（アイトリプルイー１３９４）等の汎用のインタフェースを用いてＭＩＤＩインタフェース１０を構成するようにしてもよい。この場合、ＭＩＤＩイベントデータ以外のデータをも同時に送受信するようにしてもよい。ＭＩＤＩインタフェース１０として上記したような汎用のインタフェースを用いる場合には、他のＭＩＤＩ機器２０はＭＩＤＩイベントデータ以外のデータも送受信できるようにしてよい。勿論、演奏情報に関するデータフォーマットはＭＩＤＩ形式のデータに限らず、他の形式であってもよく、その場合はＭＩＤＩインタフェース１０と他のＭＩＤＩ機器２０はそれにあった構成とする。通信インタフェース（Ｉ／Ｆ）１１は、例えばＬＡＮやインターネット、電話回線等の有線あるいは無線の通信ネットワークＸに接続されており、該通信ネットワークＸを介して、サーバコンピュータ３０と接続され、当該サーバコンピュータ３０から制御プログラムや各種データを電子音楽装置ＥＭＡ側に取り込むためのインタフェースである。すなわち、ＲＯＭ２や外部記憶装置９（例えば、ハードディスク）等に制御プログラムや各種データが記憶されていない場合に、サーバコンピュータ３０から制御プログラムや各種データをダウンロードするために用いられる。この通信インタフェース１１は、有線式あるいは無線式のいずれかで通信を行うものであってよいし、また、双方の通信方式が利用可能であってもよい。このサーバコンピュータ３０は、図１のウェブサーバＷＳが具備するコンピュータに相当する。
【００２６】
なお、図２では、この電子音楽装置ＥＭＡが電子楽器であるものとしているため、演奏操作子４Ａ、音源回路７、効果回路、サウンドシステム８Ａが設けられている。電子音楽装置ＥＭＡがその他のタイプの機器であれば、これらが設けられないこともあるし、また、そのハード構成は図２に示したものとは適宜異なるものとなるであろうことは言うまでもない。
【００２７】
また、電子音楽装置ＥＭＡが電子楽器からなる場合であっても、演奏操作子４Ａは、鍵盤型演奏操作子の形態に限らず、弦楽器や管楽器、あるいは打楽器等どのようなタイプの演奏操作子形態でもよい。また、電子楽器は演奏操作子４Ａやディスプレイ６Ａあるいは音源回路７などを１つの装置本体に内蔵したものに限らず、それぞれが別々に構成され、ＭＩＤＩインタフェースや各種ネットワーク等の通信手段を用いて各装置を接続するように構成されたものであってもよいことはいうまでもない。さらに、本発明に係る電子音楽装置ＥＭＡは、パーソナルコンピュータや携帯電話等の携帯型通信端末、あるいはカラオケ装置やゲーム装置、オーディオ及び／又はビジュアル装置、あるいはその他の種々の音楽関連装置など、どのようなタイプの装置・機器の形態からなるものであってもよい。携帯型通信端末からなる場合、端末のみで所定の機能が完結している場合に限らず、機能の一部をサーバ側に持たせ、端末とサーバとからなるシステム全体として所定の機能を実現するようにしてもよい。
【００２８】
次に、個別の電子音楽装置ＥＭＡに対する固有ＩＤの発行／登録手法に関連する種々の実施例につき図３〜図５により説明する。
図３は、ウェブサーバＷＳの提供する所定のウェブサイトにアクセスしてきた個別の電子音楽装置ＥＭＡに対して固有ＩＤが未発行のときに行われる処理（「登録前の処理」）の流れを略示するもので、左側に該電子音楽装置ＥＭＡ（以下単にＥＭＡという）で行われる処理を示し、右側にウェブサーバＷＳ（以下単にＷＳという）で行われる処理を示す。この場合、ＥＭＡでは、まず、自己のＩＤをＷＳに送信する処理を行うが（Ｓ１）、ＩＤ未発行の場合はその内容は空である。ＷＳでは、受信したＩＤが空であることを確認する（Ｓ４のＹＥＳ）と、ステップＳ５で「ユーザ登録フォーム」をＥＭＡに送信する。一方、受信したＩＤが空でないならば、図３の「登録前の処理」をこれ以上行わずに、図４に示す「登録後の処理」（詳しくはそのステップＳ１８）に移る。
【００２９】
図３の「登録前の処理」が続行される場合、ＥＭＡでは、受信した「ユーザ登録フォーム」に必要な自己のユーザ情報（氏名、住所、当該電子音楽装置の機種など）を入力し、ＷＳに送信する（Ｓ２）。ＷＳでは、受信したユーザ情報をユーザデータベースＵＤＢに登録し（Ｓ６）、更に、当該ユーザ情報に係る当該ＥＭＡのために固有ＩＤを新規に発行し、該発行した固有ＩＤを該ユーザ情報とセットにしてユーザデータベースＵＤＢに登録する（Ｓ７）。そして、該発行した固有ＩＤを当該ＥＭＡに送信する（Ｓ８）。具体的には、ステップＳ８で、ＷＳは、発行された固有ＩＤを内容とするＩＤデータファイルを作成し、この作成されたＩＤデータファイルをＥＭＡに送信する。ＥＭＡでは、ＷＳから受信した固有ＩＤをフラッシュメモリ１２（図２）（図１のＩＤＭ）に保存する（Ｓ３）。具体的には、ステップＳ３で、ＥＭＡは、ＷＳから受信したＩＤデータファイルを解釈し、この解釈したＩＤデータファイルから固有ＩＤを取り出し、取り出した固有ＩＤをフラッシュメモリ１２に記憶する。なお、個別の電子音楽装置に固有のＩＤにおいては、当該電子音楽装置の機種を判別しうる情報が含まれていてもよい。
【００３０】
このように、図３の実施例では、ウェブサーバＷＳにおいて、アクセスしてきた個別の電子音楽装置ＥＭＡに対して既に固有ＩＤを発行済みか否かを判別し（Ｓ４）、未発行ならば、ステップＳ５〜Ｓ８の「サーバ側ＩＤ発行＆ユーザ登録処理」（これをまとめて「処理Ａ」という）と、ステップＳ２〜Ｓ３の「ユーザ側ユーザ登録＆ＩＤ保存処理」（これをまとめて「処理Ｂ」という）を行うことで、固有ＩＤの発行／登録／保存を自動的に行うと共にユーザ登録処理をも同時に行う。従って、ユーザは、自身が所持している電子音楽装置ＥＭＡが既に固有ＩＤを持っているかどうかという面倒な事柄をいちいち意識／認識する必要がなく、自動的に固有ＩＤの発行／登録が行われるので、便利である。また、ユーザ登録と固有ＩＤの発行／登録／保存とがセットで行われるので、ユーザにとって便利であり、また、サーバ側でもユーザデータベース管理の一元化を行えるので便利である。ウェブサーバＷＳの提供する所定のウェブサイトに電子音楽装置ＥＭＡがアクセスすると、自動的に固有ＩＤがウェブサーバＷＳに送信されるので（Ｓ１）、ユーザは面倒な入力操作が不要であり、簡便である。
【００３１】
次に、図４に示す「登録後の処理」の一例につき説明する。ＥＭＡからのＩＤ送信（Ｓ１）と、ＷＳでの受信ＩＤが空か否かの判定（Ｓ４）は、図３と同じ処理である。ＷＳでは、受信したＩＤで空でないことを確認する（Ｓ４のＮＯ）と、ステップＳ１８で、受信したＩＤとユーザデータベースＵＤＢ内の登録済みＩＤとを照合し、一致していればログインさせる。一方、受信したＩＤが空の場合は、図４の「登録後の処理」をこれ以上行わずに、図３（又は図５）に示す「登録前の処理」（詳しくは図３のステップＳ５又は後述する図５のステップＳ３５）に移る。
【００３２】
ログインした場合、ＷＳでは、受信したＩＤに対応してＵＤＢ内に登録されているユーザ情報に応じて、適切なタイプのウェブページを複数の異なるタイプのウェブページの中から選択し、選択したタイプのウェブページをＥＭＡに送信する（Ｓ１９）。ＥＭＡでは、受信したウェブページをディスプレイ６Ａ（図２）に表示する（Ｓ１１）。それ以後は、該表示されたウェブページに応じた処理が行われる。図４の例では、このＷＳによって提供されるウェブサイトは、音楽を含むコンテンツの販売サービスを含んでいるものとしており、該音楽を含むコンテンツの販売／購入に関連する処理が、以後のステップＳ１２〜Ｓ１７、Ｓ２０〜Ｓ２１にて行われる。しかし、この例に限定されないのは勿論である。なお、このように音楽を含むコンテンツの販売サービスを提供する場合は、ステップＳ１９における適切なタイプのウェブページの選択とは、例えば、ジャズ、ロック、クラッシックのような音楽のジャンル別のウェブページを当該ユーザに合わせて選択することであってよい。もしくは、当該特定のユーザ用にカスタマイズされたウェブページを該ステップＳ１９で提供するようになっていてもよい。
【００３３】
ＥＭＡでは、ユーザが、ディスプレイ表示されたウェブページを閲覧して、所望のコンテンツの購入要求をＷＳに発信できる（Ｓ１２）。ＷＳでは、この購入要求に応じて必要な料金を徴収するための課金処理を行い（Ｓ２０）、要求されたコンテンツに当該ＥＭＡの固有ＩＤを埋め込み、これを該ＥＭＡに送信する（Ｓ２１）。コンテンツに固有ＩＤを埋め込むことは、例えばコンテンツの不正使用防止及び著作権保護の観点からなされる。この固有ＩＤの埋め込み方としては、任意の手法を用いてよい。第１の例として、該固有ＩＤをコンテンツの暗号化キーの一部として使用して該コンテンツを暗号化するやり方がある。第２の例として、コンテンツの暗号化は別の適宜の暗号化キーで行い、該固有ＩＤを該コンテンツの利用制限情報として埋め込んでおくやり方がある。いずれの場合も、ユーザに送信されるコンテンツは暗号化され、情報保護のセキュリティが確保される。
【００３４】
ＥＭＡでは、受信したコンテンツをメモリに保存する（Ｓ１３）。保存したコンテンツを利用する場合（Ｓ１４のＹＥＳ）は、該コンテンツに埋め込まれているＩＤが当該ＥＭＡの固有ＩＤ（フラッシュメモリ１２に記憶されているＩＤ）と一致しているかどうかを判定し（Ｓ１５）、一致していれば該コンテンツの利用を許す（Ｓ１６）が、一致していなければ該コンテンツの利用を許さない（Ｓ１７）。なお、Ｓ１５における判定の仕方としては、前記第１の例の手法でコンテンツへのＩＤ埋め込みがなされている場合は、該暗号化されたコンテンツを当該ＥＭＡの固有ＩＤを復号キーとして使用して復号化する処理を行えばよい。復号化が成功すれば該コンテンツが利用可能となる。また、前記第２の例の手法でコンテンツへのＩＤ埋め込みがなされている場合は、該コンテンツに埋め込まれている利用制限情報としてのＩＤと当該ＥＭＡの固有ＩＤとを比較し、両者が一致しているか否かを判定すればよい。
【００３５】
図３及び図４の実施例によれば、ＷＳにおいて、アクセスしてきた個別のＥＭＡに対して既に固有ＩＤを発行済みか否かを判別し（Ｓ４）、その判別結果に応じて異なるウェブページ情報を該ＥＭＡに対して提供することができる。すなわち、固有ＩＤ未発行であればユーザ登録フォームを送信し（Ｓ３５）、固有ＩＤ発行済みであれば登録済みユーザ用ウェブページを提供する（Ｓ４のＮＯから図４のＳ１８，Ｓ１９へ）。これにより、例えば、固有ＩＤ未発行／未登録のＥＭＡでアクセスしたユーザに対しては自動的に固有ＩＤ発行用のウェブページ情報を提供したり、固有ＩＤ発行済／登録済の電子音楽装置でアクセスしたユーザに対しては特有のサービスを提供するウェブページ情報（例えば該ＥＭＡ又はユーザごとにカスマイズされたウェブページ情報）を提供するように、きめ細かなウェブページ提供サービスを行うことができる。
【００３６】
更に、図５に示す実施例につき説明する。図５は、「登録前の処理」に関する図３とは異なる実施例を示すもので、図３とは異なるやり方で固有ＩＤを発行／登録する例である。すなわち、図５に示す実施例では、該ウェブサイトにアクセスしてきたユーザ（ＥＭＡ）からＩＤ発行要求があったときに、該ＥＭＡに対して固有ＩＤの発行／登録処理を行う。
【００３７】
まず、図５において、ＥＭＡからのＩＤ送信（Ｓ１）と、ＷＳでの受信ＩＤが空か否かの判定（Ｓ４）は、図３と同じ処理である。ＷＳでは、受信したＩＤが空であることを確認する（Ｓ４のＹＥＳ）と、未登録ユーザ用ウェブページをＥＭＡに送信する（Ｓ３５）。一方、受信したＩＤが空でないならば、図５の「登録前の処理」をこれ以上行わずに、図４に示す「登録後の処理」（詳しくは前記ステップＳ１８）に移る。この未登録ユーザ用ウェブページとは、正式ユーザとしてログインすることなく、ゲストが該ウェブサイトを利用できるようにするページである。ＥＭＡでは、受信した未登録ユーザ用ウェブページをディスプレイ６Ａ（図２）に表示する（Ｓ３１）。それ以後は、ステップＳ３２，Ｓ３３，Ｓ３６において、該表示された未登録ユーザ用ウェブページに応じた処理が行われる。図５の例では、このＷＳによって提供されるウェブサイトの未登録ユーザ用ウェブページにおいては、誰でも無料で利用できるフリーコンテンツの提供が行われるものとしている。ＥＭＡでは、ユーザが、ディスプレイ表示された未登録ユーザ用ウェブページを閲覧して、所望のフリーコンテンツのダウンロード要求をＷＳに発信できる（Ｓ３２）。ＷＳでは、このダウンロード要求に応じてフリーコンテンツを該ＥＭＡに送信する（Ｓ３６１）。ＥＭＡでは、受信したフリーコンテンツをメモリに保存したり、該コンテンツを再生利用したりすることができる（Ｓ３３）。
【００３８】
図５の例において、ウェブサイトにアクセスしたユーザは、望みのときに、ユーザ登録要求操作を行ってユーザ登録要求を発生し、ＷＳに送信できる（Ｓ３４）。この実施例では、図３の例と同様に、固有ＩＤの発行／登録とユーザ登録が同時にセットで行われる。よって、ステップＳ３４でユーザ登録要求を発生することは、固有ＩＤの発行要求を発生することと等価である。ＷＳでは、ＥＭＡからユーザ登録要求を受信すると、前述の「処理Ａ」すなわち図３のステップＳ５〜Ｓ８からなるものと同様の「サーバ側ＩＤ発行＆ユーザ登録処理」を実行する態勢となる。一方、ＥＭＡでは、ユーザ登録要求を発生した後、前述の「処理Ｂ」すなわち図３のステップＳ２〜Ｓ３からなるものと同様の「ユーザ側ユーザ登録＆ＩＤ保存処理」を実行する態勢となる。こうして、ユーザからのユーザ登録要求すなわち固有ＩＤ発行要求に応じて、前述した図３の「処理Ａ」及び「処理Ｂ」と同じ処理が実行され、固有ＩＤの発行／登録／保存並びユーザ登録処理がセットで行われる。
【００３９】
このように、図５の実施例では、ウェブサーバＷＳにおいて、アクセスしてきた個別の電子音楽装置ＥＭＡからのＩＤ発行要求に応じて（Ｓ３４）、該個別のＥＭＡに対して固有ＩＤを発行するようにしている（処理Ａ，Ｂ）。従って、ユーザは、自己の都合に合わせて、望みのときに、ＩＤ発行を受けることができる。また、図５及び図４の実施例でも、ウェブサーバＷＳにおいて、アクセスしてきた個別のＥＭＡに対して既に固有ＩＤを発行済みか否かを判別し（Ｓ４）、その判別結果に応じて異なるウェブページ情報を該ＥＭＡに対して提供する。すなわち、固有ＩＤ未発行であれば未登録ユーザ用ウェブページを提供し（Ｓ３５）、固有ＩＤ発行済みであれば登録済みユーザ用ウェブページを提供する（Ｓ４のＮＯから図４のＳ１８，Ｓ１９へ）。これにより、例えば、固有ＩＤ未発行／未登録のＥＭＡでアクセスしたユーザに対しては自動的に未登録ユーザ用ウェブページ情報を提供したり、固有ＩＤ発行済／登録済のＥＭＡでアクセスしたユーザに対しては特有のサービスを提供するウェブページ情報（例えば該ＥＭＡ又はユーザごとにカスマイズされたウェブページ情報）を提供するように、きめ細かなウェブページ提供サービスを行うことができる。
【００４０】
図６は、この発明の別の実施形態を示すもので、ユーザ側の電子音楽装置それ自体がウェブサイトアクセス機能（ブラウザ機能）を持っていなかったとしても、パソコンのような外部の処理装置の助けを借りることにより、固有ＩＤの発行／登録／保存並びユーザ登録処理を実現可能にするものである。図６において、電子音楽装置ＥＭＡ１は、固有ＩＤを不揮発的に記憶する記憶領域ＩＤＭ（例えばフラッシュメモリ）を有しているが、初期状態（例えば工場出荷時の状態）では、この記憶領域ＩＤＭに固有ＩＤは記憶されておらず、また、それ自体はウェブサイトアクセス機能（ブラウザ機能）を持っていない。しかし、この電子音楽装置ＥＭＡ１は、外部の処理装置例えばパソコンＰＣと有線又は無線式に通信可能である。この場合、外部のパソコンＰＣが、通信ネットワークＸを介したウェブサーバＷＳ（サーバコンピュータ３０）との通信を受持ち、また、固有ＩＤ発行／登録／保存並びユーザ登録処理のために電子音楽装置ＥＭＡ側で実行されるべき図３〜図５に示されたような制御プログラムも、外部のパソコンＰＣに搭載され、該パソコンＰＣが該電子音楽装置ＥＭＡ１に代わって実行する。そして、当該電子音楽装置ＥＭＡ１の固有ＩＤをパソコンＰＣがウェブサーバＷＳから取得すると、これを電子音楽装置ＥＭＡ１に送り、該電子音楽装置ＥＭＡ１内のＩＤ記憶領域ＩＤＭ（例えばフラッシュメモリ）に記憶・保存させる。
【００４１】
なお、上記実施例においては、固有ＩＤの発行／登録／保存処理とユーザ登録処理をセットで同時に行う例について説明したが、これに限らず、それぞれ別々に行うようにしてもよい。また、ユーザ登録は省略してもよい。
【００４２】
上記実施例において、ウェブサーバＷＳは、ウェブページ情報（ウェブサイト）を提供する機能と固有ＩＤの発行／登録機能並びにユーザデータベース管理機能を併せ持つように説明したが、各機能を別々のサーバで受け持つようにしてもよい。例えば、ウェブページ情報（ウェブサイト）を提供するウェブサーバと、固有ＩＤの発行／登録機能並びにユーザデータベース管理機能を持つ管理サーバとを、別々に構成し、ユーザの電子音楽装置ＥＭＡ又はパソコンＰＣは、ウェブサーバの提供するウェブサイトにアクセスし、管理サーバはウェブサーバを経由してユーザの電子音楽装置ＥＭＡ又はパソコンＰＣと通信を行うように構成してもよい。この場合、ウェブサーバと管理サーバを合わせて上記実施例におけるウェブサーバＷＳつまり本発明のサーバ装置という。
【図面の簡単な説明】
【００４３】
【図１】この発明の一実施形態を示すシステム略図。
【図２】この発明の一実施例に係る電子音楽装置ＥＭＡの全体的なハードウェア構成例を示すブロック図。
【図３】電子音楽装置が固有ＩＤ登録前にウェブサイトにアクセスしたときに行われる「登録前の処理」の一例を略示するフロー図。
【図４】電子音楽装置が固有ＩＤ登録後にウェブサイトにアクセスしたときに行われる「登録後の処理」の一例を略示するフロー図。
【図５】「登録前の処理」の別の例を略示するフロー図。
【図６】この発明の別の実施形態を示すシステム略図。
【符号の説明】
【００４４】
ＥＭＡ   電子音楽装置
ＩＤＭ    ＩＤ記憶領域
ＷＳ    ウェブサーバ
ＰＣ    パーソナルコンピュータ
１２    フラッシュメモリ
【図１】
2005215671.tif 000003
【図２】
2005215671.tif 000004
【図３】
2005215671.tif 000005
【図４】
2005215671.tif 000006
【図５】
2005215671.tif 000007
【図６】
2005215671.tif 000008